(57)【要約】      （修正有）【課題】従来より少ない計測点の数で筒内噴射エンジンの噴射時期を精度良く適合する。【解決手段】エンジン１１及び燃料噴射弁３１の設計諸元である、噴霧角、燃料噴射弁３１の取付角度、シリンダ内径、キャビティ３７の位置等に基づいてピストン３６上面のキャビティ３７に衝突する燃料割合と噴射時期との関係、及び／又は、シリンダ内壁面（ライナー３５）に衝突する燃料割合と噴射時期との関係をシミュレーションする。そして、当該燃料割合が燃焼良好となる範囲に対応する噴射時期の範囲をシミュレーション結果に基づいて算出し、この噴射時期の範囲を実験計画法で計測点を配置する噴射時期の計測範囲とする。更に、この計測範囲の上下限値付近で噴射時期を少しずつ変化させてエンジントルクを計測する処理を繰り返し、その計測結果に基づいて噴射時期の計測範囲を燃焼状態が良好となる範囲に修正する。【選択図】図２
2008280959.tif 000002
【特許請求の範囲】
【請求項１】
筒内噴射エンジンの噴射時期を、決められた計測範囲内に配置された複数の計測点の噴射時期に順番に変化させてエンジン特性データを計測する処理を繰り返し、各計測点の計測データに基づいて噴射時期の適合値を算出する筒内噴射エンジンの噴射時期適合方法において、
エンジン及び燃料噴射弁の設計諸元に基づいて該燃料噴射弁からシリンダ内に噴射する燃料の噴霧挙動と噴射時期との関係をシミュレーションして、そのシミュレーション結果に基づいて噴射時期の計測範囲を絞り込むことを特徴とする筒内噴射エンジンの噴射時期適合方法。
【請求項２】
エンジン及び燃料噴射弁の設計諸元に基づいてシリンダ内壁面に衝突する燃料割合と噴射時期との関係をシミュレーションして、そのシミュレーション結果に基づいて噴射時期の計測範囲を絞り込むことを特徴とする請求項１に記載の筒内噴射エンジンの噴射時期適合方法。
【請求項３】
エンジン及び燃料噴射弁の設計諸元に基づいてピストン上面のキャビティに衝突する燃料割合と噴射時期との関係をシミュレーションして、そのシミュレーション結果に基づいて噴射時期の計測範囲を絞り込むことを特徴とする請求項１に記載の筒内噴射エンジンの噴射時期適合方法。
【請求項４】
エンジン及び燃料噴射弁の設計諸元に基づいて、シリンダ内壁面に衝突する燃料割合と、ピストン上面のキャビティに衝突する燃料割合と、噴射時期との関係をシミュレーションして、そのシミュレーション結果に基づいて噴射時期の計測範囲を絞り込むことを特徴とする請求項１に記載の筒内噴射エンジンの噴射時期適合方法。
【請求項５】
前記シミュレーション結果に基づいて絞り込んだ噴射時期の計測範囲の上下限値付近で噴射時期を少しずつ変化させてエンジン特性データを計測する処理を繰り返し、その計測結果に基づいて前記噴射時期の計測範囲を燃焼状態が良好となる範囲に修正することを特徴とする請求項１乃至４のいずれかに記載の筒内噴射エンジンの噴射時期適合方法。
【請求項６】
前記噴射時期の計測範囲の上下限値付近で噴射時期を変化させる際に、燃焼状態が良好であるか否かを評価する指標となるエンジン特性データが安定するまでの時間を待ち時間とし、この待ち時間が経過する毎に噴射時期を変化させて当該エンジン特性データを計測することを特徴とする請求項５に記載の筒内噴射エンジンの噴射時期適合方法。
【請求項７】
前記燃焼状態が良好であるか否かを評価する指標となるエンジン特性データはエンジントルクであることを特徴とする請求項６に記載の筒内噴射エンジンの噴射時期適合方法。
【請求項８】
前記噴射時期の計測範囲を燃焼状態が良好となる範囲に修正したときに、修正後の計測範囲に応じて計測点を修正することを特徴とする請求項５乃至７のいずれかに記載の筒内噴射エンジンの噴射時期適合方法。
【請求項９】
燃焼状態が良好となる適正な噴霧挙動の情報を記憶手段に記憶しておき、設計諸元が異なるエンジンの噴射時期の計測範囲を絞り込む際に、前記記憶手段に記憶されている前記適正な噴霧挙動の情報と前記シミュレーション結果とに基づいて噴射時期の計測範囲を絞り込むことを特徴とする請求項１乃至８のいずれかに記載の筒内噴射エンジンの噴射時期適合方法。
【請求項１０】
前記噴射時期の計測範囲内に複数の計測点を配置する処理を実験計画法により行うことを特徴とする請求項１乃至９のいずれかに記載の筒内噴射エンジンの噴射時期適合方法。
【請求項１１】
筒内噴射エンジンの噴射時期を、決められた計測範囲内に設定された複数の計測点の噴射時期に順番に変化させてエンジン特性データを計測する処理を繰り返し、各計測点の計測データに基づいて噴射時期の適合値を算出する筒内噴射エンジンの噴射時期適合装置において、
エンジン及び燃料噴射弁の設計諸元に基づいて該燃料噴射弁からシリンダ内に噴射する燃料の噴霧挙動と噴射時期との関係をシミュレーションするシミュレーション手段と、
前記シミュレーション手段によるシミュレーション結果に基づいて噴射時期の計測範囲を絞り込む計測範囲絞込み手段と
を備えていることを特徴とする筒内噴射エンジンの噴射時期適合装置。
【請求項１２】
前記計測範囲絞込み手段は、エンジン及び燃料噴射弁の設計諸元に基づいてシリンダ内壁面に衝突する燃料割合と噴射時期との関係をシミュレーションして、そのシミュレーション結果に基づいて噴射時期の計測範囲を絞り込むことを特徴とする請求項１１に記載の筒内噴射エンジンの噴射時期適合装置。
【請求項１３】
前記計測範囲絞込み手段は、エンジン及び燃料噴射弁の設計諸元に基づいてピストン上面のキャビティに衝突する燃料割合と噴射時期との関係をシミュレーションして、そのシミュレーション結果に基づいて噴射時期の計測範囲を絞り込むことを特徴とする請求項１１に記載の筒内噴射エンジンの噴射時期適合装置。
【請求項１４】
前記計測範囲絞込み手段は、エンジン及び燃料噴射弁の設計諸元に基づいて、シリンダ内壁面に衝突する燃料割合と、ピストン上面のキャビティに衝突する燃料割合と、噴射時期との関係をシミュレーションして、そのシミュレーション結果に基づいて噴射時期の計測範囲を絞り込むことを特徴とする請求項１１に記載の筒内噴射エンジンの噴射時期適合装置。
【請求項１５】
前記シミュレーション結果に基づいて絞り込んだ噴射時期の計測範囲の上下限値付近で噴射時期を少しずつ変化させてエンジン特性データを計測する処理を繰り返し、その計測結果に基づいて前記噴射時期の計測範囲を燃焼状態が良好となる範囲に修正する計測範囲修正手段を備えていることを特徴とする請求項１１乃至１４のいずれかに記載の筒内噴射エンジンの噴射時期適合装置。
【請求項１６】
前記計測範囲修正手段は、前記噴射時期の計測範囲の上下限値付近で噴射時期を変化させる際に、燃焼状態が良好であるか否かを評価する指標となるエンジン特性データが安定するまでの時間を待ち時間とし、この待ち時間が経過する毎に噴射時期を変化させて当該エンジン特性データを計測することを特徴とする請求項１５に記載の筒内噴射エンジンの噴射時期適合装置。
【請求項１７】
前記燃焼状態が良好であるか否かを評価する指標となるエンジン特性データはエンジントルクであることを特徴とする請求項１６に記載の筒内噴射エンジンの噴射時期適合装置。
【請求項１８】
前記噴射時期の計測範囲を燃焼状態が良好となる範囲に修正したときに、修正後の計測範囲に応じて計測点を修正する計測点修正手段を備えていることを特徴とする請求項１５乃至１７のいずれかに記載の筒内噴射エンジンの噴射時期適合装置。
【請求項１９】
燃焼状態が良好となる適正な噴霧挙動の情報を記憶する記憶手段を備え、
前記計測範囲絞込み手段は、設計諸元が異なるエンジンの噴射時期の計測範囲を絞り込む際に、前記記憶手段に記憶されている前記適正な噴霧挙動の情報と前記シミュレーション結果とに基づいて噴射時期の計測範囲を絞り込むことを特徴とする請求項１１乃至１８のいずれかに記載の筒内噴射エンジンの噴射時期適合装置。
【請求項２０】
前記噴射時期の計測範囲内に複数の計測点を配置する処理を実験計画法により行う実験計画作成手段を備えていることを特徴とする請求項１１乃至１９のいずれかに記載の筒内噴射エンジンの噴射時期適合装置。
【発明の詳細な説明】
【技術分野】
【０００１】
本発明は、筒内噴射エンジンの噴射時期を適合する筒内噴射エンジンの噴射時期適合方法及び噴射時期適合装置に関する発明である。
【背景技術】
【０００２】
近年の高性能エンジンは、出力向上、排気エミッション低減、燃費節減等を実現するために、燃料を筒内に直接噴射する筒内噴射エンジンを採用するケースが増加し、更に、この筒内噴射エンジンに可変バルブタイミング機構やＥＧＲシステム等の様々な機能を搭載しているため、適合すべき制御パラメータが噴射時期や点火時期のみではなく、バルブタイミングやＥＧＲ率等も適合する必要があり、適合すべき制御パラメータの数が増加して、制御パラメータの適合作業が非常に面倒なものとなってきている。
【０００３】
そこで、特許文献１（特開２００２−２０６４５６号公報）に示すように、予め設定した所定数の計測点でエンジンの特性値を計測して、その計測結果に基づいて各制御パラメータとエンジンの特性値との関係を定めたモデル式を求め、このモデル式を用いて制御パラメータの適合値を算出することが提案されている。
【０００４】
また、特許文献２（特開２００４−２６３６８０号公報）に示すように、適合精度を確保しながら計測点の数を少なくする手法として、実験計画法が用いられることが多い。
【特許文献１】特開２００２−２０６４５６号公報（第１頁〜第２頁等）
【特許文献２】特開２００４−２６３６８０号公報（第５頁等）
【発明の開示】
【発明が解決しようとする課題】
【０００５】
しかし、前述したように、近年の筒内噴射エンジンは、適合すべき制御パラメータの数が増加しているため、実験計画法を用いても、適合に必要なモデル精度を確保するための計測点の数が増えて、適合作業が面倒なものとなってきている。
【０００６】
しかも、従来の方法では、エンジンの燃焼状態が正常となる適合パラメータの組み合わせの判断が困難であるため、実験計画法で配置する計測点のなかには、不適正な適合パラメータの組み合わせが含まれる可能性があり、その結果、適合作業時に不適正な適合パラメータの組み合わせにより異常燃焼が発生してエンジンを損傷させてしまったり、エンジン特性が変化してモデル精度が悪化するという問題があった。
【０００７】
本発明はこのような事情を考慮してなされたものであり、従ってその目的は、燃焼状態が悪化する計測点を排除して、従来より少ない計測点の数で、適合工数を削減しながら噴射時期を精度良く適合することができる筒内噴射エンジンの噴射時期適合方法及び噴射時期適合装置を提供することにある。
【課題を解決するための手段】
【０００８】
上記目的を達成するために、本発明は、筒内噴射エンジンの噴射時期を、決められた計測範囲内に配置された複数の計測点の噴射時期に順番に変化させてエンジン特性データを計測する処理を繰り返し、各計測点の計測データに基づいて噴射時期の適合値を算出するものにおいて、エンジン及び燃料噴射弁の設計諸元に基づいて該燃料噴射弁からシリンダ内に噴射する燃料の噴霧挙動と噴射時期との関係をシミュレーションして、そのシミュレーション結果に基づいて噴射時期の計測範囲を絞り込むようにしたものである。
【０００９】
本発明は、燃料噴射弁からシリンダ内に噴射する燃料の噴霧挙動が燃焼状態の良否を左右する大きな要因となることに着目して、エンジン及び燃料噴射弁の設計諸元に基づいて該燃料噴射弁からシリンダ内に噴射する燃料の噴霧挙動と噴射時期との関係をシミュレーションして、そのシミュレーション結果に基づいて噴射時期の計測範囲から燃焼状態が悪化する範囲を除外して噴射時期の計測範囲を燃焼状態が良好となる範囲に絞り込むようにしたものである。これにより、燃焼状態が悪化する計測点を排除して、従来より少ない計測点の数で、適合工数を削減しながら噴射時期を精度良く適合することが可能となる。
【００１０】
この場合、シリンダ内壁面に衝突する燃料割合が多くなり過ぎると、燃焼状態が悪化する。また、ピストン上面のキャビティに衝突する燃料割合が少なくなり過ぎると、燃焼状態が悪化する。
【００１１】
このような特性を考慮して、エンジン及び燃料噴射弁の設計諸元に基づいて、シリンダ内壁面に衝突する燃料割合と噴射時期との関係、及び／又は、ピストン上面のキャビティに衝突する燃料割合と噴射時期との関係をシミュレーションして、そのシミュレーション結果に基づいて噴射時期の計測範囲を絞り込むようにしても良い。エンジン及び燃料噴射弁の設計諸元から、噴霧角、燃料噴射弁の取付角度（噴射方向）、燃料噴射弁とピストンとの間のクランク角毎の高さ方向距離（クランク角毎のピストンの高さ位置）、シリンダ内径、キャビティの位置等が判明すれば、これらの幾何学的関係に基づいてシリンダ内壁面に衝突する燃料割合や、ピストン上面のキャビティに衝突する燃料割合を算出することができる。
【００１２】
ところで、シミュレーション結果には少なからず誤差が生じるため、シミュレーション結果に基づいて絞り込んだ噴射時期の計測範囲の上下限値付近で燃焼状態が悪化する可能性がある。この点を考慮して、シミュレーション結果に基づいて絞り込んだ噴射時期の計測範囲の上下限値付近で噴射時期を少しずつ変化させてエンジン特性データを計測する処理を繰り返し、その計測結果に基づいて噴射時期の計測範囲を燃焼状態が良好となる範囲に修正すると良い。このようにすれば、燃焼状態が良好となる範囲のみに確実に計測点を配置することができる。
【００１３】
この場合、噴射時期の計測範囲の上下限値付近で噴射時期を変化させる際に、燃焼状態が良好であるか否かを評価する指標となるエンジン特性データが安定するまでの時間を待ち時間とし、この待ち時間が経過する毎に噴射時期を変化させて当該エンジン特性データを計測するようにすると良い。このようにすれば、シミュレーション結果に基づいて絞り込んだ噴射時期の計測範囲の上下限値付近における燃焼状態の良否判定を短時間の計測で能率良く行うことができる。
【００１４】
ここで、燃焼状態が良好であるか否かを評価する指標となるエンジン特性データは、エンジントルクとすると良い。これは、燃焼状態が悪化すると、即座にエンジントルクが落ち込むため、エンジントルクの落ち込みの有無で燃焼悪化の有無を即座に確認することができるためである。
【００１５】
更に、噴射時期の計測範囲を燃焼状態が良好となる範囲に修正したときに、修正後の計測範囲に応じて計測点を修正するようにしても良い。このようにすれば、修正後の計測範囲で計測点を最適な位置に配置することができるので、適合精度を向上させることができる。
【００１６】
ところで、設計諸元が異なるエンジンでは、ピストン上面のキャビティに衝突する燃料割合と噴射時期との関係が変化したり、シリンダ内壁面に衝突する燃料割合と噴射時期との関係が変化するが、燃焼状態が良好となる上記燃料割合の範囲は、エンジンの設計諸元が異なっても、ほとんど変化しない。
【００１７】
この点を考慮して、燃焼状態が良好となる適正な噴霧挙動の情報を記憶手段に記憶しておき、設計諸元が異なるエンジンの噴射時期の計測範囲を絞り込む際に、前記記憶手段に記憶されている前記適正な噴霧挙動の情報と前記シミュレーション結果とに基づいて噴射時期の計測範囲を絞り込むようにしても良い。このようにすれば、設計諸元が異なるエンジンの噴射時期も、適合工数を削減しながら噴射時期を精度良く適合することができる。      
【００１８】
更に、噴射時期の計測範囲内に複数の計測点を配置する処理を実験計画法により行うようにすれば、適合精度を確保しながら計測点の数を少なくするように計測点を効率的に配置することができる。
【発明を実施するための最良の形態】
【００１９】
以下、本発明を実施するための最良の形態を具体化した一実施例を説明する。
まず、噴射時期適合装置の構成を図１に基づいて説明する。
【００２０】
適合する筒内噴射エンジン（以下単に「エンジン」という）１１をベンチ１２上に取り付け、このエンジン１１のクランク軸を動力計１３に連結する。適合作業中は、エンジン１１に装着された後述する各種のアクチュエータを電子制御ユニット（ＥＣＵ）１４によって制御する。この電子制御ユニット１４は、通信ボックス１６を介して適合制御用コンピュータ１７に接続され、適合作業中は、この適合制御用コンピュータ１７から通信ボックス１６を介して電子制御ユニット１４に制御信号を送信することで、電子制御ユニット１４内の各制御パラメータのマップ定数等を変更する。適合作業中のエンジン１１のスロットル開度は、スロットルコントロール装置１５によって調整される。
【００２１】
適合作業中は、動力計制御盤１８によって動力計１３とスロットルコントロール装置１５を制御してエンジン負荷を制御すると共に、動力計１３で計測したエンジントルク（エンジン特性データ）を適合制御用コンピュータ１７に送信する。エンジン１１には、クーラント（冷却水）の温度を調整するクーラント温度調整装置１９と、エンジンオイルの温度を調整するオイル温度調整装置２０と、燃料の温度を調整する燃費計測機能付きの燃料温度調整装置２１を接続し、適合作業中は、これら各温度調整装置２１によってクーラント温度、エンジンオイル温度、燃料温度が一定条件に自動調整される。適合作業中にエンジン１１から排出される排出ガスは、排出ガス分析計２２で分析され、排出ガス中のＮＯｘ、ＣＯ、ＨＣ等のエミッションの測定結果が適合制御用コンピュータ１７に送信される。
【００２２】
一般に、適合対象となるエンジン制御パラメータは、例えば、図２に示す燃料噴射弁３１の噴射時期、エンジン負荷（吸入空気量）、エンジン回転速度、点火プラグ３２の点火時期、モータ等で駆動されるスロットルバルブの開度（スロットル開度）、スワールコントロールバルブの開度（ＳＣＶ開度）、吸気バルブ３３及び排気バルブ３４の可変バルブタイミング機構の進角値（ＶＣＴ進角値）、ＥＧＲ開度（ＥＧＲ率）等であるが、本実施例では、噴射時期の適合方法について説明する。
【００２３】
本実施例では、適合制御用コンピュータ１７は、特許請求の範囲でいう実験計画作成手段として機能し、実験計画法（ＤＯＥ）を用いて所定数の計測点を配置し、各計測点の計測データに基づいてエンジン１１の特性をモデル化し、このモデルを使用してエンジン性能を最適にする噴射時期の適合値を算出する。この際、計測点の数を少なくして噴射時期の適合作業を効率的に行うために、噴射時期の計測範囲（計測点を配置する範囲）から燃焼状態が悪化する範囲を除外して噴射時期の計測範囲を燃焼状態が良好となる範囲に絞り込む。
【００２４】
この場合、燃料噴射弁３１からシリンダ内に噴射する燃料の噴霧挙動が燃焼状態の良否を左右する大きな要因となることに着目して、適合制御用コンピュータ１７は、エンジン１１及び燃料噴射弁３１の設計諸元（例えば噴霧角、燃料噴射弁３１の取付角度、燃料噴射弁３１とピストン３６との間のクランク角毎の高さ方向距離、シリンダ内径、キャビティ３７の位置等）に基づいて該燃料噴射弁３１からシリンダ内に噴射する燃料の噴霧挙動と噴射時期との関係をシミュレーションして、そのシミュレーション結果に基づいて噴射時期の計測範囲を燃焼状態が良好となる範囲に絞り込む。この機能が特許請求の範囲でいうシミュレーション手段及び計測範囲絞込み手段に相当する。
【００２５】
本実施例では、燃料噴射弁３１からシリンダ内に噴射する燃料の噴霧挙動と噴射時期との関係をシミュレーションする際に、ピストン３６上面のキャビティ３７に衝突する燃料割合と噴射時期との関係、及び／又は、シリンダ内壁面（ライナー３５）に衝突する燃料割合と噴射時期との関係をシミュレーションする。例えば、エンジン１１及び燃料噴射弁３１の設計諸元から、噴霧角、燃料噴射弁３１の取付角度（噴射方向）、燃料噴射弁３１とピストン３６との間のクランク角毎の高さ方向距離（クランク角毎のピストン３６の高さ位置）、シリンダ内径、キャビティ３７の位置等が判明すれば、これらの幾何学的関係に基づいてライナー３５に衝突する燃料割合やピストン３６上面のキャビティ３７に衝突する燃料割合を算出することができる。図３及び図４に、ライナー３５に衝突する燃料割合とピストン３６上面のキャビティ３７に衝突する燃料割合のシミュレーション結果の一例が示されている。
【００２６】
図２、図３から明らかなように、ピストン３６が上昇してピストン３６上面のキャビティ３７に衝突する燃料割合が増加するに従って、ライナー３５に衝突する燃料割合が減少するという関係がある。また、ライナー３５に衝突する燃料割合が多くなり過ぎると、燃焼状態が悪化する。一方、ピストン３６上面のキャビティ３７に衝突する燃料割合が少なくなり過ぎると、燃焼状態が悪化する。
【００２７】
一般に、ピストン３６上面のキャビティ３７に衝突する燃料割合が例えば２０〜３０％の範囲内で燃焼状態が良好となり、この範囲から外れると、燃焼状態が悪化する。そこで、適合制御用コンピュータ１７は、エンジン１１の噴射時期を適合する際に、ピストン３６上面のキャビティ３７に衝突する燃料割合が例えば２０〜３０％となる噴射時期の範囲を図３等のシミュレーション結果に基づいて算出し、この噴射時期の範囲を実験計画法で計測点を配置する噴射時期の計測範囲とする。
【００２８】
或は、ライナー３５に衝突する燃料割合をシミュレーションして、燃焼状態が良好となる燃料割合の範囲を求めて、この燃料割合の範囲に対応する噴射時期の範囲を図３等のシミュレーション結果に基づいて算出し、この噴射時期の範囲を実験計画法で計測点を配置する噴射時期の計測範囲としても良い。
【００２９】
勿論、ピストン３６上面のキャビティ３７に衝突する燃料割合とライナー３５に衝突する燃料割合の両方をシミュレーションして、燃焼状態が良好となる両方の燃料割合の範囲を求めて、両方の燃料割合の範囲に対応する噴射時期の範囲を図３のシミュレーション結果に基づいて算出し、この噴射時期の範囲を実験計画法で計測点を配置する噴射時期の計測範囲としても良い。
【００３０】
また、図４（ａ）、（ｂ）に示すように、燃料噴射弁３１の取付角度等の設計諸元が異なるエンジンでは、ピストン３６上面のキャビティ３７に衝突する燃料割合と噴射時期との関係が変化したり、ライナー３５に衝突する燃料割合と噴射時期との関係が変化するが、燃焼状態が良好となる燃料割合の範囲は、エンジン１１の設計諸元が異なっても、ほとんど変化しない。
【００３１】
この点を考慮して、本実施例では、燃焼状態が良好となる燃料割合の範囲のデータを、設計諸元が異なるエンジンの噴射時期の計測範囲を決めるための物理情報（燃焼状態が良好となる適正な噴霧挙動の情報）として、適合制御用コンピュータ１７の記憶装置（記憶手段）に記憶しておき、適合制御用コンピュータ１７によって設計諸元が異なるエンジンの噴射時期の計測範囲を絞り込む際に、記憶装置に記憶されている物理情報とシミュレーション結果とに基づいて噴射時期の計測範囲を絞り込むようにしても良い。このようにすれば、図４（ａ）、（ｂ）に示すように、燃料噴射弁３１の取付角度等の設計諸元が異なるエンジンの噴射時期も、適合工数を削減しながら噴射時期を精度良く適合することができる。
【００３２】
ところで、図３、図４に示されるシミュレーション結果には少なからず誤差が生じるため、シミュレーション結果に基づいて絞り込んだ噴射時期の計測範囲の上下限値付近で燃焼状態が悪化する可能性がある。
【００３３】
この点を考慮して、適合制御用コンピュータ１７は、後述する図５の計測範囲修正プログラムを実行して、シミュレーション結果に基づいて絞り込んだ噴射時期の計測範囲の上下限値付近で噴射時期を少しずつ変化させてエンジン特性データを計測する処理を繰り返し、その計測結果に基づいて噴射時期の計測範囲を燃焼状態が良好となる範囲に修正するようにしている。このようにすれば、燃焼状態が良好となる範囲のみに確実に計測点を配置することができる。
【００３４】
この場合、噴射時期の計測範囲の上下限値付近で噴射時期を変化させる際に、燃焼状態が良好であるか否かを評価する指標となるエンジン特性データが安定するまでの時間を待ち時間とし、この待ち時間が経過する毎に噴射時期を変化させて当該エンジン特性データを計測するようにしている。このようにすれば、シミュレーション結果に基づいて絞り込んだ噴射時期の計測範囲の上下限値付近における燃焼状態の良否判定を短時間の計測で能率良く行うことができる。
【００３５】
本実施例では、燃焼状態が良好であるか否かを評価する指標となるエンジン特性データとして、エンジントルクを用いるようにしている。これは、燃焼状態が悪化すると、即座にエンジントルクが落ち込むため、エンジントルクの落ち込みの有無で燃焼悪化の有無を即座に確認することができるためである。
【００３６】
更に、噴射時期の計測範囲を燃焼状態が良好となる範囲に修正したときに、修正後の計測範囲に応じて実験計画法の計測点を修正するようにしている。このようにすれば、修正後の計測範囲で計測点を最適な位置に配置することができるので、適合精度を向上させることができる。
【００３７】
以上説明した噴射時期の計測範囲の修正は、適合制御用コンピュータ１７によって図５の計測範囲修正プログラムに従って実行される。本プログラムが起動されると、まずステップ１０１で、シミュレーション結果に基づいて絞り込んだ噴射時期の計測範囲内で、その上限値（又は下限値）の少し内側に噴射時期の初期値を設定してエンジン１１を運転し、次のステップ１０２で、燃焼状態が良好であるか否かを評価する指標となるエンジントルクが安定するのに必要な時間が経過するまで待機する。
【００３８】
そして、エンジントルクが安定するのに必要な時間が経過した時点で、ステップ１０３に進み、エンジントルクを計測する。この後、ステップ１０４に進み、計測したエンジントルクが安定燃焼判定値よりも小さいか否かを判定し、エンジントルクが安定燃焼判定値以上であれば、燃焼状態が良好あると判断して、ステップ１０５に進み、噴射時期を計測範囲の上限値（又は下限値）に近付ける方向に進角又は遅角させて、上記ステップ１０２〜１０４の処理を繰り返す。これにより、燃焼状態が良好であるか否かを評価する指標となるエンジントルクが安定するまでの時間を待ち時間とし、この待ち時間が経過する毎に噴射時期を計測範囲の上限値（又は下限値）に近付ける方向に進角又は遅角させて当該エンジントルクを計測して、エンジントルクが安定燃焼判定値よりも小さいか否か（燃焼状態が悪化したか否か）を判定する処理を繰り返す。
【００３９】
そして、計測したエンジントルクが安定燃焼判定値よりも小さくなったこと（エンジントルクの落ち込み）が検出された時点で、燃焼状態が悪化したと判断してステップ１０６に進み、噴射時期の計測範囲の上限値（又は下限値）を、エンジントルクの落ち込みが検出されなかった前回の噴射時期に修正する。これにより、噴射時期の計測範囲（計測点を配置する範囲）から燃焼状態が悪化する範囲を除外して噴射時期の計測範囲を燃焼状態が良好となる範囲のみに絞り込む。この後、ステップ１０７に進み、修正後の計測範囲内で実験計画法の計測点を修正する。
【００４０】
以上説明した図５の計測範囲修正プログラムは、計測範囲修正手段，計測点修正手段，実験計画作成手段としての役割を果たす。
【００４１】
尚、本発明で使用する筒内噴射エンジンの噴射時期適合装置の構成は図１の構成のものに限定されず、適宜変更しても良いことは言うまでもない。
【図面の簡単な説明】
【００４２】
【図１】本発明の一実施例で使用する噴射時期適合装置の構成例を概略的に示す図である。
【図２】筒内噴射エンジンの燃焼室及びその周辺部分を示す縦断面図である。
【図３】ライナーに衝突する燃料割合とピストン上面のキャビティに衝突する燃料割合のシミュレーション結果の一例を示す図である。
【図４】（ａ）と（ｂ）は燃料噴射弁の取付角度が異なるエンジンにおけるピストン上面のキャビティに衝突する燃料割合のシミュレーション結果の一例を示す図である。
【図５】計測範囲修正プログラムの処理の流れを説明するフローチャートである。
【符号の説明】
【００４３】
１１…筒内噴射エンジン、１４…電子制御ユニット（ＥＣＵ）、１７…適合制御用コンピュータ（シミュレーション手段，計測範囲絞込み手段，計測範囲修正手段，計測点修正手段，実験計画作成手段）、３１…燃料噴射弁、３５…ライナー（シリンダ内壁面）、３６…ピストン、３７…キャビティ
【図１】
2008280959.tif 000003
【図２】
2008280959.tif 000004
【図３】
2008280959.tif 000005
【図４】
2008280959.tif 000006
【図５】
2008280959.tif 000007